(57)【要約】【課題】  特定のデータが記憶させられることによってカスタマイズされるための作業時間を短縮することができる電子機器、データ記憶プログラムおよびデータ記憶方法を提供する。【解決手段】  ＭＦＰは、記憶部と、ＭＦＰが起動されていない状態で無線によってデータが書き込まれることが可能なＮＦＣタグと、ＭＦＰの起動時にＮＦＣタグに記憶されているデータに基づいてカスタマイズデータを記憶部に記憶する（Ｓ１３１〜Ｓ１３７）特定データ記憶手段とを備えることを特徴とする。【選択図】  図６
2017225059.tif 000002
【特許請求の範囲】
【請求項１】
電子機器であって、
記憶デバイスと、
前記電子機器が起動されていない状態で無線によってデータが書き込まれることが可能な無線記憶デバイスと、
前記電子機器の起動時に前記無線記憶デバイスに記憶されているデータに基づいて特定のデータを前記記憶デバイスに記憶する特定データ記憶手段と
を備えることを特徴とする電子機器。
【請求項２】
前記特定データ記憶手段は、前記電子機器の起動時に前記無線記憶デバイスに記憶されているデータが前記特定のデータのダウンロード元を示すダウンロード元情報を含む場合、前記ダウンロード元情報によって示される前記ダウンロード元から前記特定のデータをダウンロードして前記記憶デバイスに記憶することを特徴とする請求項１に記載の電子機器。
【請求項３】
電子機器によって実行されるデータ記憶プログラムであって、
前記電子機器は、
記憶デバイスと、
前記電子機器が起動されていない状態で無線によってデータが書き込まれることが可能な無線記憶デバイスと
を備え、
前記データ記憶プログラムは、前記電子機器の起動時に前記無線記憶デバイスに記憶されているデータに基づいて特定のデータを前記記憶デバイスに記憶する特定データ記憶手段として前記電子機器を機能させることを特徴とするデータ記憶プログラム。
【請求項４】
電子機器に特定のデータを記憶させるデータ記憶方法であって、
前記電子機器は、
記憶デバイスと、
前記電子機器が起動されていない状態で無線によってデータが書き込まれることが可能な無線記憶デバイスと、
前記電子機器の起動時に前記無線記憶デバイスに記憶されているデータに基づいて前記特定のデータを前記記憶デバイスに記憶する特定データ記憶手段と
を備え、
前記データ記憶方法は、
前記特定データ記憶手段に前記特定のデータを前記記憶デバイスに記憶させるためのデータを前記無線記憶デバイスに無線によって書き込むデータ書き込みステップと、
前記データ書き込みステップの後で前記電子機器を起動させる機器起動ステップと
を備えることを特徴とするデータ記憶方法。
【請求項５】
前記データ書き込みステップは、前記電子機器が梱包されている状態で、前記特定データ記憶手段に前記特定のデータを前記記憶デバイスに記憶させるためのデータを前記無線記憶デバイスに無線によって書き込むステップであることを特徴とする請求項４に記載のデータ記憶方法。
【発明の詳細な説明】
【技術分野】
【０００１】
本発明は、特定のデータを管理する電子機器、データ記憶プログラムおよびデータ記憶方法に関する。
【背景技術】
【０００２】
従来、特定のデータを管理する電子機器として、アドレス帳やユーザーアカウントなどの特定のデータを管理する画像形成装置が知られている（例えば、特許文献１参照。）。画像形成装置は、リプレースされる時などの際に、画像形成装置の販売会社のサービスパーソンなどの者によって画像形成装置の利用者用の特定のデータが記憶させられることによって、利用者用にカスタマイズされる。
【先行技術文献】
【特許文献】
【０００３】
【特許文献１】特開２０１４−２２２８６５号公報
【発明の概要】
【発明が解決しようとする課題】
【０００４】
しかしながら、従来の画像形成装置においては、特定のデータが記憶させられることによってカスタマイズされるための作業時間が長いという問題がある。
【０００５】
例えば、従来の画像形成装置は、カスタマイズされない場合、販売会社側の保管場所から利用者側の設置場所に届けられて起動させられるとき、図７に示す作業が必要となる。図７に示すように、まず、作業者は、画像形成装置の製造工場から販売会社側の保管場所に届けられて販売会社側の保管場所に保管されている画像形成装置を利用者側の設置場所に届ける（Ｓ９０１）。次いで、作業者は、利用者側の設置場所で画像形成装置の梱包を開けて（Ｓ９０２）、利用者側の設置場所で画像形成装置を起動させる（Ｓ９０３）。なお、図７における各作業工程の作業者は、それぞれ、異なる者でも良い。
【０００６】
一方、従来の画像形成装置は、販売会社側の保管場所でカスタマイズされて利用者側の設置場所に届けられて起動させられる場合、図８に示す作業が必要となる。図８に示すように、まず、作業者は、画像形成装置の製造工場から販売会社側の保管場所に届けられて販売会社側の保管場所に保管されている画像形成装置の梱包を販売会社側の保管場所で開けて（Ｓ９１１）、販売会社側の保管場所で画像形成装置を起動させる（Ｓ９１２）。次いで、作業者は、ＵＳＢ（Ｕｎｉｖｅｒｓａｌ  Ｓｅｒｉａｌ  Ｂｕｓ）メモリーなどの記憶媒体に記憶されている特定のデータを販売会社側の保管場所で画像形成装置の記憶デバイスに記憶させる（Ｓ９１３）。次いで、作業者は、販売会社側の保管場所で画像形成装置の動作を終了させて（Ｓ９１４）、販売会社側の保管場所で画像形成装置を再び梱包する（Ｓ９１５）。次いで、作業者は、販売会社側の保管場所に保管されている画像形成装置を利用者側の設置場所に届ける（Ｓ９１６）。次いで、作業者は、利用者側の設置場所で画像形成装置の梱包を開けて（Ｓ９１７）、利用者側の設置場所で画像形成装置を起動させる（Ｓ９１８）。なお、図８における各作業工程の作業者は、それぞれ、異なる者でも良い。
【０００７】
図７および図８から明らかなように、販売会社側の保管場所でカスタマイズされて利用者側の設置場所に届けられて起動させられる場合、特定のデータが記憶させられることによってカスタマイズされるための作業時間は、Ｓ９１１〜Ｓ９１５の作業時間である。なお、図８に示す作業において、利用者側の設置場所においてカスタマイズを実行しない理由は、画像形成装置が販売会社側の保管場所から利用者側の設置場所に届けられた後、利用者による画像形成装置の利用を早期に開始可能にするためである。
【０００８】
例えば、販売会社側の保管場所から利用者側の設置場所に届けられる画像形成装置の数が少ない場合には、図８に示すように販売会社側の保管場所でカスタマイズされて利用者側の設置場所に届けられて起動させられる方法ではなく、図９に示すように販売会社側の保管場所から利用者側の設置場所に届けられて起動させられた後でカスタマイズされる方法でも良い。図９に示すように、まず、作業者は、画像形成装置の製造工場から販売会社側の保管場所に届けられて販売会社側の保管場所に保管されている画像形成装置を利用者側の設置場所に届ける（Ｓ９２１）。次いで、作業者は、利用者側の設置場所で画像形成装置の梱包を開けて（Ｓ９２２）、利用者側の設置場所で画像形成装置を起動させる（Ｓ９２３）。次いで、作業者は、ＵＳＢメモリーなどの記憶媒体に記憶されている特定のデータを利用者側の設置場所で画像形成装置の記憶デバイスに記憶させる（Ｓ９２４）。なお、図９における各作業工程の作業者は、それぞれ、異なる者でも良い。
【０００９】
図７および図９から明らかなように、販売会社側の保管場所から利用者側の設置場所に届けられて起動させられた後でカスタマイズされる場合、特定のデータが記憶させられることによってカスタマイズされるための作業時間は、Ｓ９２４の作業時間である。
【００１０】
そこで、本発明は、特定のデータが記憶させられることによってカスタマイズされるための作業時間を短縮することができる電子機器、データ記憶プログラムおよびデータ記憶方法を提供することを目的とする。
【課題を解決するための手段】
【００１１】
本発明の電子機器は、電子機器であって、記憶デバイスと、前記電子機器が起動されていない状態で無線によってデータが書き込まれることが可能な無線記憶デバイスと、前記電子機器の起動時に前記無線記憶デバイスに記憶されているデータに基づいて特定のデータを前記記憶デバイスに記憶する特定データ記憶手段とを備えることを特徴とする。
【００１２】
この構成により、本発明の電子機器は、電子機器に特定のデータを記憶デバイスに記憶させるためのデータを電子機器の起動前に無線記憶デバイスに記憶させる作業が実行されることによって、電子機器の起動時に自動でカスタマイズするので、特定のデータが記憶させられることによってカスタマイズされるための作業時間を短縮することができる。
【００１３】
本発明の電子機器において、前記特定データ記憶手段は、前記電子機器の起動時に前記無線記憶デバイスに記憶されているデータが前記特定のデータのダウンロード元を示すダウンロード元情報を含む場合、前記ダウンロード元情報によって示される前記ダウンロード元から前記特定のデータをダウンロードして前記記憶デバイスに記憶しても良い。
【００１４】
この構成により、本発明の電子機器は、電子機器の起動前に無線記憶デバイスに記憶させられるデータのサイズを特定のデータのサイズより小さくすることができるので、電子機器に特定のデータを記憶デバイスに記憶させるためのデータを電子機器の起動前に無線記憶デバイスに記憶させる作業時間を短縮することができ、結果として、特定のデータが記憶させられることによってカスタマイズされるための作業時間を短縮することができる。
【００１５】
本発明のデータ記憶プログラムは、電子機器によって実行されるデータ記憶プログラムであって、前記電子機器は、記憶デバイスと、前記電子機器が起動されていない状態で無線によってデータが書き込まれることが可能な無線記憶デバイスとを備え、前記データ記憶プログラムは、前記電子機器の起動時に前記無線記憶デバイスに記憶されているデータに基づいて特定のデータを前記記憶デバイスに記憶する特定データ記憶手段として前記電子機器を機能させることを特徴とする。
【００１６】
この構成により、本発明のデータ記憶プログラムを実行する電子機器は、電子機器に特定のデータを記憶デバイスに記憶させるためのデータを電子機器の起動前に無線記憶デバイスに記憶させる作業が実行されることによって、電子機器の起動時に自動でカスタマイズするので、特定のデータが記憶させられることによってカスタマイズされるための作業時間を短縮することができる。
【００１７】
本発明のデータ記憶方法は、電子機器に特定のデータを記憶させるデータ記憶方法であって、前記電子機器は、記憶デバイスと、前記電子機器が起動されていない状態で無線によってデータが書き込まれることが可能な無線記憶デバイスと、前記電子機器の起動時に前記無線記憶デバイスに記憶されているデータに基づいて前記特定のデータを前記記憶デバイスに記憶する特定データ記憶手段とを備え、前記データ記憶方法は、前記特定データ記憶手段に前記特定のデータを前記記憶デバイスに記憶させるためのデータを前記無線記憶デバイスに無線によって書き込むデータ書き込みステップと、前記データ書き込みステップの後で前記電子機器を起動させる機器起動ステップとを備えることを特徴とする。
【００１８】
この構成により、本発明のデータ記憶方法は、電子機器に特定のデータを記憶デバイスに記憶させるためのデータを電子機器の起動前に無線記憶デバイスに記憶させる作業が実行されることによって、電子機器の起動時に電子機器に自動でカスタマイズさせるので、特定のデータが記憶させられることによって電子機器がカスタマイズされるための作業時間を短縮することができる。
【００１９】
本発明のデータ記憶方法において、前記データ書き込みステップは、前記電子機器が梱包されている状態で、前記特定データ記憶手段に前記特定のデータを前記記憶デバイスに記憶させるためのデータを前記無線記憶デバイスに無線によって書き込むステップであっても良い。
【００２０】
この構成により、本発明のデータ記憶方法は、電子機器に特定のデータを記憶デバイスに記憶させるためのデータを電子機器の起動前に無線記憶デバイスに記憶させる作業が、電子機器の梱包が開かれることを待たずに実行可能であるので、特定のデータが記憶させられることによって電子機器がカスタマイズされるための作業時間を短縮することができる。
【発明の効果】
【００２１】
本発明の電子機器、データ記憶プログラムおよびデータ記憶方法は、特定のデータが記憶させられることによってカスタマイズされるための作業時間を短縮することができる。
【図面の簡単な説明】
【００２２】
【図１】本発明の一実施の形態に係るデータ記憶システムのブロック図である。
【図２】図１に示すＭＦＰのブロック図である。
【図３】図１に示すコンピューターのブロック図である。
【図４】図１に示すサーバーのブロック図である。
【図５】カスタマイズされる図２に示すＭＦＰが販売会社側の保管場所から利用者側の設置場所に届けられて起動させられる場合の作業工程の一例を示す図である。
【図６】起動される場合の図２に示すＭＦＰの動作のフローチャートである。
【図７】カスタマイズされない従来の画像形成装置が販売会社側の保管場所から利用者側の設置場所に届けられて起動させられる場合の作業工程の一例を示す図である。
【図８】従来の画像形成装置が販売会社側の保管場所でカスタマイズされて利用者側の設置場所に届けられて起動させられる場合の作業工程の一例を示す図である。
【図９】従来の画像形成装置が販売会社側の保管場所から利用者側の設置場所に届けられて起動させられた後でカスタマイズされる場合の作業工程の一例を示す図である。
【発明を実施するための形態】
【００２３】
以下、本発明の一実施の形態について、図面を用いて説明する。
【００２４】
まず、本実施の形態に係る電子機器としてのＭＦＰ（Ｍｕｌｔｉｆｕｎｃｔｉｏｎ  Ｐｅｒｉｐｈｅｒａｌ）を含むデータ記憶システムの構成について説明する。
【００２５】
図１は、本実施の形態に係るデータ記憶システム１０のブロック図である。
【００２６】
図１に示すように、データ記憶システム１０は、アドレス帳やユーザーアカウントなどの特定のデータとしてのカスタマイズデータを管理するＭＦＰ２０と、ＭＦＰ２０にカスタマイズデータを記憶させるためのデータ（以下「カスタマイズデータ用データ」と言う。）をＭＦＰ２０に記憶させるためのスマートフォン、ＰＣ（Ｐｅｒｓｏｎａｌ  Ｃｏｍｐｕｔｅｒ）などのコンピューター４０と、ＭＦＰ２０の利用者のカスタマイズデータを記憶しているサーバー５０とを備えている。ＭＦＰ２０と、サーバー５０とは、ＬＡＮ（Ｌｏｃａｌ  Ａｒｅａ  Ｎｅｔｗｏｒｋ）、インターネットなどのネットワーク１０ａを介して互いに通信可能である。
【００２７】
コンピューター４０は、例えばＭＦＰ２０の販売会社のサービスパーソンによって携帯されている。
【００２８】
データ記憶システム１０は、ＭＦＰ２０と同様なＭＦＰを、ＭＦＰ２０以外に１つ以上備えても良い。また、データ記憶システム１０は、コンピューター４０と同様なコンピューターを、コンピューター４０以外に１つ以上備えても良いし、サーバー５０と同様なサーバーを、サーバー５０以外に１つ以上備えても良い。
【００２９】
図２は、ＭＦＰ２０のブロック図である。
【００３０】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に画像を印刷する印刷デバイスであるプリンター２４と、図示していない外部のファクシミリ装置と公衆電話回線などの通信回線経由でファックス通信を行うファックスデバイスであるファックス通信部２５と、ネットワーク１０ａ（図１参照。）経由で外部の装置と通信を行う通信デバイスである通信部２６と、ＭＦＰ２０が起動されていない状態で無線によってデータが書き込まれることが可能な無線記憶デバイスとしてのＮＦＣ（Ｎｅａｒ  Ｆｉｅｌｄ  Ｃｏｍｍｕｎｉｃａｔｉｏｎ）タグからデータを読み出すＮＦＣリーダー２７と、各種の情報を記憶する半導体メモリー、ＨＤＤ（Ｈａｒｄ  Ｄｉｓｋ  Ｄｒｉｖｅ）などの不揮発性の記憶デバイスである記憶部２８と、ＭＦＰ２０全体を制御する制御部２９とを備えている。
【００３１】
ＭＦＰ２０は、ＮＦＣタグ３０を備えている。ＮＦＣタグ３０は、電池を備えていても良いし、発電機能を備えていても良い。ＮＦＣタグ３０は、発電機能を備えている場合、例えば、データの読み出しまたは書き込みが実行される際に電磁誘導方式や電波方式などの発電方式によって発電する装置でも良い。ＮＦＣタグ３０は、カスタマイズデータ用データ３０ａを記憶可能である。
【００３２】
ＭＦＰ２０は、ＮＦＣタグ３０に対してデータの読み出しおよび書き込みを実行可能なＮＦＣリーダーライターをＮＦＣリーダー２７に代えて備えても良い。
【００３３】
記憶部２８は、データ記憶プログラム２８ａを記憶している。データ記憶プログラム２８ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク１０ａ上からＭＦＰ２０に追加でインストールされても良い。
【００３４】
記憶部２８は、カスタマイズデータ２８ｂを記憶可能である。
【００３５】
記憶部２８は、ＭＦＰ２０の起動時にカスタマイズデータ２８ｂの記憶処理を実行するか否かを示す起動時記憶処理実行フラグ２８ｃを記憶している。起動時記憶処理実行フラグ２８ｃは、立っている状態の場合に、ＭＦＰ２０の起動時にカスタマイズデータ２８ｂの記憶処理を実行することを示す。起動時記憶処理実行フラグ２８ｃは、ＭＦＰ２０が初めて起動される前に立っている状態にされている。
【００３６】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２８に記憶されているプログラムを実行する。
【００３７】
制御部２９は、記憶部２８に記憶されているデータ記憶プログラム２８ａを実行することによって、ＭＦＰ２０の起動時にＮＦＣタグ３０に記憶されているカスタマイズデータ用データ３０ａに基づいてカスタマイズデータ２８ｂを記憶部２８に記憶する特定データ記憶手段２９ａとして機能する。
【００３８】
図３は、コンピューター４０のブロック図である。
【００３９】
図３に示すように、コンピューター４０は、種々の操作が入力されるマウス、キーボードなどの入力デバイスである操作部４１と、種々の情報を表示するＬＣＤなどの表示デバイスである表示部４２と、ネットワーク１０ａ（図１参照。）経由で外部の装置と通信を行う通信デバイスである通信部４３と、ＮＦＣタグにデータを書き込むＮＦＣライター４４と、各種の情報を記憶する半導体メモリー、ＨＤＤなどの不揮発性の記憶デバイスである記憶部４５と、コンピューター４０全体を制御する制御部４６とを備えている。
【００４０】
コンピューター４０は、ＮＦＣタグに対してデータの読み出しおよび書き込みを実行可能なＮＦＣリーダーライターをＮＦＣライター４４に代えて備えても良い。
【００４１】
制御部４６は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４５に記憶されているプログラムを実行する。
【００４２】
図４は、サーバー５０のブロック図である。
【００４３】
図４に示すように、サーバー５０は、種々の操作が入力されるマウス、キーボードなどの入力デバイスである操作部５１と、種々の情報を表示するＬＣＤなどの表示デバイスである表示部５２と、ネットワーク１０ａ（図１参照。）経由で外部の装置と通信を行う通信デバイスである通信部５３と、各種の情報を記憶する半導体メモリー、ＨＤＤなどの不揮発性の記憶デバイスである記憶部５４と、サーバー５０全体を制御する制御部５５とを備えている。
【００４４】
記憶部５４は、ＭＦＰ２０（図１参照。）用のカスタマイズデータ５４ａを記憶している。
【００４５】
制御部５５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５４に記憶されているプログラムを実行する。
【００４６】
次に、ＭＦＰ２０にカスタマイズデータ２８ｂを記憶させるデータ記憶方法について説明する。
【００４７】
ＭＦＰ２０は、カスタマイズされる場合、販売会社側の保管場所から利用者側の設置場所に届けられて起動させられるとき、例えば図５に示す作業が必要となる。
【００４８】
図５は、カスタマイズされるＭＦＰ２０が販売会社側の保管場所から利用者側の設置場所に届けられて起動させられる場合の作業工程の一例を示す図である。
【００４９】
図５に示すように、まず、作業者は、ＭＦＰ２０の製造工場から販売会社側の保管場所に届けられて販売会社側の保管場所に保管されているＭＦＰ２０のＮＦＣタグ３０にコンピューター４０によってカスタマイズデータ用データ３０ａを書き込む（Ｓ１０１）。
【００５０】
次いで、作業者は、ＭＦＰ２０を利用者側の設置場所に届ける（Ｓ１０２）。
【００５１】
次いで、作業者は、利用者側の設置場所でＭＦＰ２０の梱包を開けて（Ｓ１０３）、利用者側の設置場所でＭＦＰ２０を起動させる（Ｓ１０４）。
【００５２】
なお、図５における各作業工程の作業者は、それぞれ、異なる者でも良い。
【００５３】
Ｓ１０１の作業は、図５においては、Ｓ１０２の作業の前に販売会社側の保管場所で実行されるが、Ｓ１０４の作業の前に実行されれば、何れの場所やタイミングで実行されても良い。例えば、Ｓ１０１の作業は、Ｓ１０３の作業と並行して利用者側の設置場所で実行されても良いし、Ｓ１０３の作業の後で利用者側の設置場所で実行されても良い。
【００５４】
次に、起動される場合のＭＦＰ２０の動作について説明する。
【００５５】
作業者は、操作部２１を介してＭＦＰ２０に起動を指示することができる。ＭＦＰ２０の制御部２９は、操作部２１を介して起動が指示されると、図６に示す動作を実行する。
【００５６】
図６は、起動される場合のＭＦＰ２０の動作のフローチャートである。
【００５７】
図６に示すように、制御部２９の特定データ記憶手段２９ａは、起動時記憶処理実行フラグ２８ｃが立っているか否かを判断する（Ｓ１３１）。
【００５８】
特定データ記憶手段２９ａは、起動時記憶処理実行フラグ２８ｃが立っているとＳ１３１において判断すると、ＮＦＣタグ３０をＮＦＣリーダー２７によって読み出すことによって、ＮＦＣタグ３０にカスタマイズデータ用データ３０ａが記憶されているか否かを判断する（Ｓ１３２）。
【００５９】
特定データ記憶手段２９ａは、ＮＦＣタグ３０にカスタマイズデータ用データ３０ａが記憶されているとＳ１３２において判断すると、ＮＦＣタグ３０からＮＦＣリーダー２７によって読み出したカスタマイズデータ用データ３０ａがカスタマイズデータのダウンロード元を示すダウンロード元情報であるか否かを判断する（Ｓ１３３）。例えば、ダウンロード元情報は、サーバー５０上の共有フォルダーのアドレスである。
【００６０】
特定データ記憶手段２９ａは、カスタマイズデータ用データ３０ａがダウンロード元情報であるとＳ１３３において判断すると、カスタマイズデータ用データ３０ａ、すなわち、ダウンロード元情報によって示されるダウンロード元からの通信部２６を介したカスタマイズデータのダウンロードを試みる（Ｓ１３４）。例えば、特定データ記憶手段２９ａは、サーバー５０上の共有フォルダーからのカスタマイズデータ５４ａのダウンロードを試みる。
【００６１】
特定データ記憶手段２９ａは、Ｓ１３４の処理の後、Ｓ１３４におけるダウンロードが成功したか否かを判断する（Ｓ１３５）。
【００６２】
特定データ記憶手段２９ａは、ダウンロードが成功したとＳ１３５において判断すると、ダウンロードしたカスタマイズデータをカスタマイズデータ２８ｂとして記憶部２８に記憶する（Ｓ１３６）。
【００６３】
特定データ記憶手段２９ａは、カスタマイズデータ用データ３０ａがダウンロード元情報ではないとＳ１３３において判断すると、カスタマイズデータ用データ３０ａに含まれるカスタマイズデータ２８ｂを記憶部２８に記憶する（Ｓ１３７）。ここで、カスタマイズデータ用データ３０ａは、ダウンロード元情報ではない場合、例えば、カスタマイズデータそのものである。
【００６４】
特定データ記憶手段２９ａは、ＮＦＣタグ３０にカスタマイズデータ用データ３０ａが記憶されていないとＳ１３２において判断するか、ダウンロードが成功していない、すなわち、失敗したとＳ１３５において判断するか、Ｓ１３６またはＳ１３７の処理が終了すると、起動時記憶処理実行フラグ２８ｃを倒す（Ｓ１３８）。
【００６５】
制御部２９は、起動時記憶処理実行フラグ２８ｃが立っていない、すなわち、倒れているとＳ１３１において判断するか、Ｓ１３８の処理が終了すると、ＭＦＰ２０の通常の起動処理を実行して（Ｓ１３９）、図６に示す動作を終了する。
【００６６】
なお、特定データ記憶手段２９ａは、図６に示す動作においては、カスタマイズデータ２８ｂの全部をダウンロード元からダウンロードするか、カスタマイズデータ２８ｂの全部をカスタマイズデータ用データ３０ａから取得する。しかしながら、特定データ記憶手段２９ａは、カスタマイズデータの一部のダウンロード元情報と、カスタマイズデータの残部とがカスタマイズデータ用データ３０ａに含まれる場合に、カスタマイズデータ２８ｂの一部をダウンロード元からダウンロードして、カスタマイズデータの残部をカスタマイズデータ用データ３０ａから取得しても良い。
【００６７】
また、特定データ記憶手段２９ａは、ＭＦＰ２０の起動後に、操作部２１を介した特定の操作に応じて、起動時記憶処理実行フラグ２８ｃを立たせても良い。
【００６８】
以上に説明したように、ＭＦＰ２０は、ＭＦＰ２０にカスタマイズデータ２８ｂを記憶部２８に記憶させるためのデータ、すなわち、カスタマイズデータ用データ３０ａをＭＦＰ２０の起動前にＮＦＣタグ３０に記憶させる作業が実行される（Ｓ１０１）ことによって、ＭＦＰ２０の起動時に自動でカスタマイズする（Ｓ１３１〜Ｓ１３７）ので、カスタマイズデータ２８ｂが記憶させられることによってカスタマイズされるための作業時間を短縮することができる。
【００６９】
例えば、従来の方法では、カスタマイズデータをＵＳＢメモリーなどの記憶媒体を介してＭＦＰに記憶させる作業の作業者は、ＭＦＰの起動の処理が終了するまで待機する必要がある。ここで、ＭＦＰが梱包されている場合には、ＭＦＰの梱包が開けられる作業時間も待機時間に追加される。また、従来の方法では、カスタマイズデータをＵＳＢメモリーなどの記憶媒体を介してＭＦＰに記憶させる作業の作業者は、ＭＦＰによるカスタマイズデータの記憶の処理の終了後にＭＦＰから記憶媒体を取り外すために、ＭＦＰによるカスタマイズデータの記憶の処理の開始後も、ＭＦＰによるカスタマイズデータの記憶の処理が終了するまで、ＭＦＰの近傍で待機する必要がある。しかしながら、カスタマイズデータ用データ３０ａをＭＦＰ２０の起動前にＮＦＣタグ３０に記憶させる作業の作業者は、これらの待機時間が不要である。
【００７０】
ＭＦＰ２０は、カスタマイズデータ用データ３０ａにダウンロード元情報が含まれる場合（Ｓ１３３でＹＥＳ）、ダウンロード元情報によって示されるダウンロード元からカスタマイズデータをダウンロードする（Ｓ１３４）ので、ＭＦＰ２０の起動前にＮＦＣタグ３０に記憶させられるカスタマイズデータ用データ３０ａのサイズをカスタマイズデータのサイズより小さくすることができる。したがって、ＭＦＰ２０は、ＭＦＰ２０にカスタマイズデータを記憶部２８に記憶させるためのカスタマイズデータ用データ３０ａをＭＦＰ２０の起動前にＮＦＣタグ３０に記憶させる作業時間を短縮することができ、結果として、カスタマイズデータ２８ｂが記憶させられることによってカスタマイズされるための作業時間を短縮することができる。
【００７１】
ＭＦＰ２０は、カスタマイズデータ用データ３０ａにダウンロード元情報が含まれる場合、ＮＦＣタグ３０に記憶させられるカスタマイズデータ用データ３０ａのサイズをカスタマイズデータのサイズより小さくすることができるので、記憶容量が少ないＮＦＣタグ３０を使用して実現されることが可能である。
【００７２】
Ｓ１０１の作業は、ＭＦＰ２０が梱包されている状態で、カスタマイズデータ用データ３０ａをＮＦＣタグ３０に無線によって書き込む作業である。したがって、本実施の形態に係るデータ記憶方法は、ＭＦＰ２０にカスタマイズデータ２８ｂを記憶部２８に記憶させるためのデータ、すなわち、カスタマイズデータ用データ３０ａをＭＦＰ２０の起動前にＮＦＣタグ３０に記憶させる作業が、ＭＦＰ２０の梱包が開かれることを待たずに実行可能であるので、カスタマイズデータ２８ｂが記憶させられることによってＭＦＰ２０がカスタマイズされるための作業時間を短縮することができる。
【００７３】
本発明の電子機器は、本実施の形態においてＭＦＰであるが、プリンター専用機、ファックス専用機、スキャナー専用機、コピー専用機など、ＭＦＰ以外の画像形成装置でも良いし、ＰＣなど、画像形成装置以外の電子機器でも良い。
【符号の説明】
【００７４】
２０  ＭＦＰ（電子機器）
２８  記憶部（記憶デバイス）
２８ａ  データ記憶プログラム
２８ｂ  カスタマイズデータ（特定のデータ）
２９ａ  特定データ記憶手段
３０  ＮＦＣタグ（無線記憶デバイス）
３０ａ  カスタマイズデータ用データ（電子機器の起動時に無線記憶デバイスに記憶されているデータ、特定データ記憶手段に特定のデータを記憶デバイスに記憶させるためのデータ）
５４ａ  カスタマイズデータ（特定のデータ）
【図１】
2017225059.tif 000003
【図２】
2017225059.tif 000004
【図３】
2017225059.tif 000005
【図４】
2017225059.tif 000006
【図５】
2017225059.tif 000007
【図６】
2017225059.tif 000008
【図７】
2017225059.tif 000009
【図８】
2017225059.tif 000010
【図９】
2017225059.tif 000011